(57)【要約】      （修正有）【課題】単一の同軸ケーブル上で３種混合信号を伝送する監視制御システムを提供する。【解決手段】単一の同軸ケーブル２０上で３種混合信号を伝送する監視制御システムは、第一送受信部１０と、第二送受信部３０と、同軸ケーブル２０とを含む。第一送受信部１０は高画質カメラ５０によって生成されるアナログ高画質動画信号を周波数多重化して第一キャリア信号を形成し、同軸ケーブル２０を通じて第一キャリア信号を第二送受信部３０へ伝送し、また、第二送受信部３０から伝送された第二キャリア信号を周波数多重分離して高画質カメラ５０の制御と電力供給のための制御信号と電力信号とを取得する。第二送受信部３０は制御信号と電力信号とを周波数多重化して第二キャリア信号を形成し、また、第一キャリア信号を周波数多重分離してアナログ高画質動画信号を取得してアナログ高画質動画信号を高画質動画レコーダ４０に伝送する。【選択図】図１
0003210536.tif 000002
【実用新案登録請求の範囲】
【請求項１】
単一の同軸ケーブル上で３種混合信号を伝送する監視制御システムであって、
高画質カメラに接続される第一送受信部と、
キャリア信号中の異なる周波数帯を占有する２つのアナログ信号と電力信号とを含むキャリア信号を全二重モードで同軸ケーブル上で同時伝送するために用いられる同軸ケーブルであって、
前記第一送受信部に接続される第一端と、
第二端と、
を含み、前記キャリア信号が第一キャリア信号と第二キャリア信号とを含む、前記同軸ケーブルと、
前記同軸ケーブルの前記第二端と高画質動画レコーダとに接続される第二送受信部であって、制御信号と前記電力信号とを周波数多重化して前記第二キャリア信号とし、前記第二キャリア信号を前記第一送受信部に伝送する第二送受信部と、を含み、
前記第二送受信部は、前記高画質カメラによって撮影され前記第一送受信部によって周波数多重化および伝送されたアナログ高画質動画信号を含む前記第一キャリア信号を受信すると、前記第一キャリア信号から前記アナログ高画質動画信号を周波数多重分離し、さらに前記高画質動画信号を前記高画質動画レコーダに提供し、
前記第一送受信部は、前記第二キャリア信号を受信すると、前記第二キャリア信号を周波数多重分離することで前記第二キャリア信号内の前記制御信号と前記電力信号とを取得し、前記制御信号と前記電力信号とを前記高画質カメラに提供することを特徴とする監視制御システム。
【請求項２】
前記第一送受信部が、
前記高画質カメラに接続され、前記高画質カメラから取得された前記アナログ高画質動画信号を周波数多重化して前記第一キャリア信号を形成するため、ならびに前記第二キャリア信号を周波数多重分離して前記制御信号と前記電力信号とを取得するために用いられる第一混合器と、
前記第一混合器と前記高画質カメラとに接続され、前記第一混合器によって周波数多重分離されかつＰｅｌｃｏ−Ｄプロトコルに適合した前記制御信号を受信し、前記Ｐｅｌｃｏ−Ｄプロトコルに適合した制御信号に従って前記高画質カメラを制御する、Ｐｅｌｃｏ−Ｄドライバと、
前記第一混合器に接続され、周波数多重分離された前記電力信号を前記第一混合器から受信し、前記電力信号からノイズを除去する第一ローパスフィルタと、
前記第一ローパスフィルタと前記高画質カメラとに接続され、前記ノイズ除去された電力信号を１２Ｖの直流電力に変換し、前記１２Ｖの直流電力を前記高画質カメラに供給する直流／直流コンバータと、を含み、
前記第二送受信部が、
前記高画質動画レコーダに接続され、周波数分割多重化によって前記制御信号と前記電力信号とを周波数多重化して前記第二キャリア信号を形成するため、ならびに前記第一キャリア信号を周波数多重分離して前記アナログ高画質動画信号を取得するために用いられる第二混合器と、
前記第二混合器に接続され、ユーザが入力した制御信号を受信し、前記ユーザが入力した制御信号を前記Ｐｅｌｃｏ−Ｄプロトコルに適合した制御信号に変換し、前記Ｐｅｌｃｏ−Ｄプロトコルに適合した制御信号を前記第二混合器に伝送するＰｅｌｃｏ−Ｄ生成器と、
直流電力を受け取って前記直流電力を閾値以下の電流に制限する電流リミッタと、
前記電流リミッタに接続され、前記電流リミッタから出力された前記直流電力からノイズを除去し、前記電力信号を生成し、前記電力信号を前記第二混合器に伝送する第二ローパスフィルタと、を含む
ことを特徴とする請求項１に記載の監視制御システム。
【請求項３】
前記アナログ高画質動画信号が垂直同期信号、水平同期信号、およびカラーバースト信号によって表され、前記垂直同期信号、前記水平同期信号、前記カラーバースト信号、前記制御信号、および前記電力信号の信号強度が同じであり、前記電力信号の周波数が０Ｈｚに位置し、前記垂直同期信号、前記水平同期信号、および前記カラーバースト信号の周波数がそれぞれ２５Ｈｚ〜６０Ｈｚ、２２ｋＨｚ〜３４ｋＨｚ、および１１ＭＨｚ〜４２ＭＨｚの範囲内にあり、前記制御信号の周波数が前記垂直同期信号の周波数と前記水平同期信号の周波数との間に位置することを特徴とする請求項１または請求項２に記載の監視及び制御システム。
【考案の詳細な説明】
【技術分野】
【０００１】
本考案は、監視制御システムに関する。さらに、本考案は、単一の同軸ケーブル上で３種混合信号を伝送する監視制御システムに関する。
【背景技術】
【０００２】
現在、監視制御システムの市場では、高画質アナログ監視制御システムが主流となりつつある。所謂「高画質」とは、最低解像度が７２０ピクセル以上の動画形式を意味する。高画質アナログ監視制御システム向けには、３種類の高画質技術、すなわちＨｉｇｈ−ＤｅｆｉｎｉｔｉｏｎＣｏｍｐｏｓｉｔｅＶｉｄｅｏＩｎｔｅｒｆａｃｅ（ＨＤＣＶＩ）、Ｈｉｇｈ−ＤｅｆｉｎｉｔｉｏｎＴｒａｎｓｐｏｒｔＶｉｄｅｏＩｎｔｅｒｆａｃｅ（ＨＤＴＶＩ）、およびＡｎａｌｏｇＨｉｇｈ−Ｄｅｆｉｎｉｔｉｏｎ（ＡＨＤ）が普及している。
【０００３】
利用者の立場からは、従来のアナログ監視制御システムをＣＶＩ、ＴＶＩ、ＡＨＤ等にアップグレードすることは、従来のアナログ監視制御システムに変更を加える必要がないため、設置および構築の面で難しい作業ではない。加えて、ＣＶＩ、ＴＶＩ、ＡＨＤ等は、通信に同軸ケーブルが用いられている環境にも適用可能である。このようなアップグレード可能性から、ＣＶＩ、ＴＶＩ、ＡＨＤ等は市場で広く受け入れられている。しかしながら、異なる伝送媒体で通信が行われる場合、動画信号、制御信号、および電力信号を、この異なる伝送媒体上で伝送する必要がある。異なる伝送媒体で通信を行うことは、より多くの伝送媒体を計画および設置することになるため、より多くの労力とコストを必要とする。
【考案の概要】
【考案が解決しようとする課題】
【０００４】
本考案は、単一の同軸ケーブル上で３種混合信号を伝送する監視制御システムを提供し、監視センターと遠隔の高画質カメラとの間で単一の同軸ケーブルを用いるシステムの構築を容易にするとともにコストを削減することを目的とする。
【課題を解決するための手段】
【０００５】
上記の課題を解決するために、上記単一の同軸ケーブル上で３種混合信号を伝送する監視制御システムは、第一送受信部、同軸ケーブル、および第二送受信部を含む。
【０００６】
上記第一送受信部は高画質カメラに接続される。
【０００７】
上記同軸ケーブルは、キャリア信号中の異なる周波数帯を占有する２つのアナログ信号と電力信号とを含むキャリア信号を全二重モードで同軸ケーブル上で同時伝送するために用いられる。上記キャリア信号は第一キャリア信号と第二キャリア信号とを含む。上記同軸ケーブルは第一端と第二端を有する。上記第一端は第一送受信部に接続される。
【０００８】
上記第二送受信部は、上記同軸ケーブルの上記第二端と高画質動画レコーダとに接続され、制御信号と上記電力信号とを周波数多重化して上記第二キャリア信号とし、上記第二キャリア信号を上記第一送受信部に伝送する。
【０００９】
上記第二送受信部は、上記高画質カメラによって撮影され上記第一送受信部によって周波数多重化および伝送されたアナログ高画質動画信号を含む上記第一キャリア信号を受信すると、上記第一キャリア信号から上記アナログ高画質動画信号を周波数多重分離し、上記高画質動画信号を更に上記高画質動画レコーダに提供する。
【００１０】
上記第一送受信部は、上記第二キャリア信号を受信すると、上記第二キャリア信号を周波数多重分離することで上記第二キャリア信号内の上記制御信号と上記電力信号とを取得し、上記制御信号を上記高画質カメラに提供して制御し、上記電力信号を動作電力として上記高画質カメラに供給する。
【００１１】
上述の監視制御システムにおいて、第一送受信部は、高画質カメラからアナログ高画質動画信号を受信すると、アナログ高画質動画信号を第一キャリア信号に周波数多重化し、第一キャリア信号を同軸ケーブルを通じて第二送受信部へ伝送する。第二送受信部は、第一キャリア信号を受信すると、第一キャリア信号を周波数多重分離してアナログ高画質動画信号を取得し、アナログ高画質動画信号を高画質動画レコーダに伝送する。第二送受信部は、制御信号と電力信号とを受信すると、制御信号と電力信号とを第二キャリア信号に周波数多重化し、同軸ケーブルを通じて第二キャリア信号を第一送受信部に伝送する。第一送受信部は、第二送受信部から第二キャリア信号を受信すると、第二キャリア信号から制御信号と電力信号とを周波数多重分離し、制御信号と電力信号とを高画質カメラに提供することで高画質カメラを制御するとともに高画質カメラに動作電力を供給する。このように、３種類の混合信号を含む第一キャリア信号と第二キャリア信号を同じ同軸ケーブル上で同時に伝送することが可能になり、監視制御システムの構造的簡便性が向上し、構築コストが低減できる。
【図面の簡単な説明】
【００１２】
【図１】本考案に係る単一の同軸ケーブル上で３種混合信号を伝送する監視制御システムのシステム構成を示す機能ブロック図である。
【図２】図１の監視制御システムのシステム構成を示す別の機能ブロック図である。
【図３】本考案に係る単一の同軸ケーブル上を伝送される３種類の信号の信号強度と周波数を示すグラフである。
【考案を実施するための形態】
【００１３】
図１および図２を参照すると、本考案に係る単一の同軸ケーブル上で３種混合信号を伝送する監視制御システムは、第一送受信部１０、同軸ケーブル２０、第二送受信部３０、高画質動画レコーダ４０、高画質カメラ５０を含む。第一送受信部１０は高画質カメラ５０に接続される。第二送受信部３０は高画質動画レコーダ４０に接続される。同軸ケーブル２０は、キャリア信号中の異なる周波数帯を占有するアナログ高画質動画信号と、電力信号と、制御信号とを含むキャリア信号を全二重モードで同軸ケーブル２０上で伝送するために用いられ、第一端と第二端とを有する。同軸ケーブル２０の第一端は第一送受信部１０に接続される。同軸ケーブル２０の第二端は第二送受信部３０に接続される。
【００１４】
第一送受信部１０は高画質カメラ５０からアナログ高画質動画信号を受信すると、アナログ高画質動画信号を第一キャリア信号に周波数多重化し、さらに、同軸ケーブル２０を通じて第一キャリア信号を下り方向に第二送受信部３０へと伝送する。第二送受信部３０は制御信号と電力信号とを受信すると、制御信号と電力信号とを第二キャリア信号に周波数多重化し、さらに、同軸ケーブル２０を通じて第二キャリア信号を上り方向に第一送受信部１０へと伝送する。
【００１５】
第一送受信部１０は第二キャリア信号を受信すると、電力信号と制御信号とを第二キャリア信号から周波数多重分離して、高画質動画レコーダ４０に電力を供給するとともに高画質動画レコーダ４０を制御する。第二送受信部３０は第一キャリア信号を受信すると、アナログ高画質動画信号を第一キャリア信号から周波数多重分離して、さらにアナログ高画質動画信号を高画質動画レコーダ４０に提供する。
【００１６】
第一キャリア信号および第二キャリア信号はアナログ信号である。第一キャリア信号と第二キャリア信号との混合は、周波数分割多重化の技術によって行われる。このようなアナログ高画質動画信号によって、制御信号と電力信号とは同一の同軸ケーブル上で上り方向と下り方向の両方で同時伝送され、監視制御システム全体の構造的簡便性とコスト削減が達成可能となる。
【００１７】
図２をさらに参照すると、第一送受信部１０はＰｅｌｃｏ−Ｄドライバ１１と、第一ローパスフィルタ１２と、直流／直流コンバータ１３と、第一混合器１４とを有し、第二送受信部３０はＰｅｌｃｏ−Ｄ生成器３１と、電流リミッタ３２と、第二ローパスフィルタ３３と、第二混合器３４とを有する。
【００１８】
第一混合器１４は高画質カメラ５０に接続され、高画質カメラ５０から取得したアナログ高画質動画信号を周波数分割多重化の技術によって周波数多重化して第二送受信部３０へ伝送される第一キャリア信号を形成するために、また、第二キャリア信号を周波数多重分離して制御信号と電力信号とを取得するために、用いられる。Ｐｅｌｃｏ−Ｄドライバ１１は第一混合器１４と高画質カメラ５０とに接続され、第一混合器１４によって周波数多重分離されたＰｅｌｃｏ−Ｄプロトコルに適合した制御信号を受信し、Ｐｅｌｃｏ−Ｄプロトコルに適合した制御信号に従って高画質カメラ５０を制御する。第一ローパスフィルタ１２は第一混合器１４に接続され、第一混合器１４から周波数多重分離された電力信号を受信して電力信号からノイズを除去する。直流／直流コンバータ１３は、第一ローパスフィルタ１２と高画質カメラ５０とに接続され、ノイズ除去された電力信号を受信し、ノイズ除去された電力信号を１２Ｖの直流電力に変換し、１２Ｖの直流電力を動作電力として高画質カメラ５０に供給する。
【００１９】
第二混合器３４は高画質動画レコーダ４０に接続され、制御信号と電力信号とを周波数多重化の技術によって周波数多重化して第一送受信部１０へ伝送される第二キャリア信号を形成するために、また、第一キャリア信号を周波数多重分離してアナログ高画質動画信号を取得するために、用いられる。Ｐｅｌｃｏ−Ｄ生成器３１は第二混合器３４に接続され、ユーザが入力した制御信号を受信し、ユーザが入力した制御信号をＰｅｌｃｏ−Ｄプロトコルに適合した制御信号に変換し、Ｐｅｌｃｏ−Ｄプロトコルに適合した制御信号を第二混合器３４に伝送する。電流リミッタ３２は直流電力を受け取って直流電力を閾値以下の電流に制限し、制限された直流電力を第二ローパスフィルタ３３に送る。第二ローパスフィルタ３３は電流リミッタ３２に接続され、電流リミッタ３２から出力された直流電力からノイズを除去して電力信号を生成し、電力信号を第二混合器３４に伝送する。Ｐｅｌｃｏ−Ｄ生成器３１から出力された制御信号と、第二ローパスフィルタ３３から出力された電力信号とは、周波数分割多重化の技術によって第二混合器３４によって周波数多重化されて、同軸ケーブル２０を通じて第一送受信部１０へ伝送される第二キャリア信号が生成される。
【００２０】
図３を参照して、信号ダウンロードモードと信号アップロードモードとにおける、第一キャリア信号と第二キャリア信号とに周波数多重化された信号の周波数と信号強度を示す例を以下に説明する。この例において、横軸と縦軸はそれぞれ、第一キャリア信号又は第二キャリア信号の周波数と信号強度を示している。第一キャリア信号は、垂直同期信号と水平同期信号とカラーバースト信号とによって表されるアナログ高画質動画信号を含み、第二キャリア信号は、制御信号と電力信号とを含む。垂直同期信号、水平同期信号、カラーバースト信号、制御信号、および電力信号の信号強度は同じであり、電力信号の周波数は０Ｈｚに位置し、垂直同期信号、水平同期信号、およびカラーバースト信号の周波数はそれぞれ２５Ｈｚ〜６０Ｈｚ、２２ｋＨｚ〜３４ｋＨｚ、および１１ＭＨｚ〜４２ＭＨｚの範囲内にある。制御信号の周波数は、垂直同期信号の周波数と水平同期信号の周波数との間に位置する。
【００２１】
つまり、単一の同軸ケーブル上で３種混合信号を伝送する監視制御システムによれば、監視制御システムによって生成されるあらゆるアナログ高画質動画信号、制御信号、および電力信号が、単一の同軸ケーブル上で同時に伝送可能である。アナログ高画質動画信号、制御信号、および電力信号の通信に複数の伝送媒体を用いる代わりに、高画質カメラと高画質動画レコーダとの間の通信に単一のケーブルを用いることで、監視制御システムの構成、ならびに伝送媒体のルーティングおよび設置が単純化される。
【図１】
0003210536.tif 000003
【図２】
0003210536.tif 000004
【図３】
0003210536.tif 000005